(57)【要約】【課題】建築物構造部材をスムーズに能率よく位置調整することができる建築物構造部材の位置調整方法を提供する。【解決手段】建築物構造部材としての床板１と固定構造物としての鉄筋３間にターンバックル１０を架設し、そのターンバックル１０の操作により床板１を押し引きして位置調整する。【選択図】  図１
2004263539.tif 000002
【特許請求の範囲】
【請求項１】
位置決め後に固定される建築物構造部材と固定構造物との間にターンバックルを架設し、そのターンバックルの操作によって建築物構造部材を押し引きして位置決めする建築物構造部材の位置調整方法。
【請求項２】
２本の支柱と、その支柱間に渡される梁の一方を建築物構造部材とし、他方を固定構造物とした請求項１に記載の建築物構造部材の位置調整方法。
【請求項３】
前記ターンバックルが、操作筒と、その操作筒の端部に形成されたねじ孔にねじ係合され、操作筒の回転により軸方向に移動する連結片付きのねじ軸と、前記操作筒に一端部が回転自在に支持されたハンドル軸と、そのハンドル軸の他端部に着脱自在に接続されたハンドルと、前記ハンドル軸と操作筒との間に組込まれ、ハンドル軸の操作筒を中心とする一方向の揺動のみを操作筒に伝達するラチェット機構とを有してなる請求項１又は２に記載の建築物構造部材の位置調整方法。
【発明の詳細な説明】
【０００１】
【発明の属する技術分野】
この発明は、プレキャストコンクリート（ＰＣ）から成る床板や柱、あるいは鉄骨柱間に渡される鉄骨梁等の建築物構造部材の位置調整方法に関するものである。
【０００２】
【従来の技術】
ビルやマンション等の中・高層建築物の床には工場生産されたプレキャストコンクリートから成る床板や柱が多く用いられている。このようなプレキャストコンクリートから成る床板（ＰＣ床板）は、クレーンや資材搬送用エレベータによって敷設位置まで運び込まれて敷設され、位置決め後に固定することが行なわれている。
【０００３】
また、鉄骨柱間に渡される鉄骨梁においても工場において生産され、建築現場において位置決めされたのち、固定することが行なわれている。
【０００４】
【発明が解決しようとする課題】
ところで、プレキャストコンクリート床板や柱、鉄骨梁等の建築物構造部材の位置決めに際しては、その建築物構造部材を押し込み、あるいは引き寄せる必要がある。従来は押し込みに際して油圧ジャッキを用い、引き寄せに際してチェーンブロックを用いるようにしているため、２種類の位置調整用治具を必要とし、それらの位置調整用治具を建築物構造部材と固定構造物の相互間に設置する必要があるため、位置調整に非常に手間がかかるという問題があった。
【０００５】
また、油圧ジャッキやチェーンブロックは微妙な位置調整が困難であるため、位置調整後に、クサビの打込み等によって微調整する必要が生じ、位置決めに多くの時間を必要とする問題があった。
【０００６】
この発明の課題は、プレキャストコンクリートから成る床板や柱、鉄骨梁等の建築物構造部材をきわめて簡単に短時間に位置決めすることができると共に、位置決め状態に仮止めすることができるようにした建築物構造部材の位置調整方法を提供することである。
【０００７】
【課題を解決するための手段】
上記の課題を解決するために、この発明においては、位置決め後に固定される建築物構造部材と固定構造物との間にターンバックルを架設し、そのターンバックルの操作によって建築物構造部材を押し引きして位置決めする構成を採用したのである。
【０００８】
上記のように、ターンバックルを用いることによって、そのターンバックルで建築物構造部材を押し込んだり、引き寄せたりすることができるため、設置に手間がかからず、また、微妙な位置調整が可能であるため、建築物構造部材をスムーズに能率よく位置決めすることができる。
【０００９】
また、建築物構造部材を位置決め状態に仮止めすることができるため、建築物構造部材の固定作業を能率よく行なうことができる。
【００１０】
ここで、２本の支柱と、その支柱間に渡される梁の一方を建築物構造部材とし、他方を固定構造物とし、一方の支柱の下端部を固定して、その固定の支柱に梁の一端部を連結し、梁の他端部と下端部が仮止めされた他方の支柱とを仮止めする状態でその両部材間にターンバックルを架設し、そのターンバックルを操作することによって、梁の他端部に対する支柱の位置調整を行なうことができると共に、支柱の傾きも同時に調整することができる。
【００１１】
また、２本の支柱の下端部を仮止めする状態でその２本の支柱間に梁を渡し、その２本の支柱に梁の両端部を仮止めする状態で各支柱と梁間にターンバックルを架設して、各ターンバックルを操作することによって２本の支柱間のスパン調整と同時に各支柱の傾きを調整することができる。
【００１２】
この発明に係る建築物構造部材の位置調整方法において、前記ターンバックルとして、操作筒と、その操作筒の端部に形成されたねじ孔にねじ係合され、操作筒の回転により軸方向に移動する連結片付きのねじ軸と、前記操作筒に一端部が回転自在に支持されたハンドル軸と、そのハンドル軸の他端部に着脱自在に接続されたハンドルと、前記ハンドル軸と操作筒との間に組込まれ、ハンドル軸の操作筒を中心とする一方向の揺動のみを操作筒に伝達するラチェット機構とを有してなるターンバックルを採用することにより、ハンドル軸を繰り返し揺動させる操作によってターンバックルの締付け又は弛め作業を行なうことができるため、建築物構造部材の位置調整を短時間に能率よく行なうことができる。
【００１３】
【発明の実施の形態】
以下、この発明の実施の形態を図面に基づいて説明する。図１および図２は、プレキャストコンクリートから成るベランダ用床板１を位置調整する例を示している。図示のように、床板１はスラブ２上に置かれ、その床板１の一側方において、スラブ２上には固定構造物としての鉄筋３が組まれている。
【００１４】
鉄筋３にはアタッチメント４が取付けられ、そのアタッチメント４に設けられた連結片５と前記床板１の上面に設けられた突片６間にターンバックル１０が架設されている。
【００１５】
ターンバックル１０は、操作筒１１を有し、その操作筒１１の両端部内周にねじ孔１２ａ、１２ｂが形成され、各ねじ孔１２ａ、１２ｂにねじ軸１３ａ、１３ｂがねじ係合されている。一対のねじ軸１３ａ、１３ｂは先端に連結片１４を有し、一方のねじ軸１３ａの連結片１４がアタッチメント４の連結片５に、他方のねじ軸１３ｂの連結片１４が床板１の突片６にそれぞれ連結されている。
【００１６】
操作筒１１の両端部に形成された一対のねじ孔１２ａ、１２ｂの雌ねじは逆ねじとされ、操作筒１１を回転すると、一対のねじ軸１３ａ、１３ｂが相対的に逆方向に移動するようになっており、各ねじ軸１３ａ、１３ｂにロックナット１５がねじ係合されている。
【００１７】
図３および図４に示すように、操作筒１１の軸方向中央部にはハンドル軸１６の一端部に一体化された対向一対の爪支持板１７が回動自在に支持され、ハンドル軸１６の他端部にハンドル１８が着脱自在に接続されている。
【００１８】
ハンドル軸１６と操作筒１１との間には、ハンドル１８の一方向の揺動のみを操作筒１１に伝達するラチェット機構２０が設けられている。
【００１９】
ラチェット機構２０は、対向一対の爪支持板１７間において操作筒１１に固定されたラチェットホイール２１と、前記爪支持板１７に回動自在に支持された爪板２２とから成り、前記爪板２２の両端部にラチェットホイール２１の外周の歯２１ａに対して係合可能な正転用爪２２ａと逆転用爪２２ｂが形成されている。
【００２０】
爪板２２は、ハンドル軸１６に設けられた仮止め機構２３によって一方の爪がラチェットホイール２１の歯２１ａに係合する状態に仮止めされる。
【００２１】
仮止め機構２３は、ハンドル軸１６の一端面に軸方向の孔２４を形成し、その孔２４内に組込まれたスプリング２５によってボール２６を爪板２２の外周上部に形成された相反する方向に傾斜する一対の傾斜面２７ａ、２７ｂの一方に押し付けている。
【００２２】
上記の構成から成るターンバックル１０においては、ロックナット１５を弛めてハンドル１８を繰り返し揺動させることにより、操作筒１１が一方向に回動されて一対のねじ軸１３ａ、１３ｂが外方向に移動するようになっている。また、図３に示す爪板２２を揺動させて正転用爪２２ａと逆転用爪２２ｂの係合を切換え、ハンドル１８を繰り返し揺動させると、操作筒１１が逆方向に回動されて一対のねじ軸１３ａ、１３ｂが操作筒１１内に引き込まれようになっている。
【００２３】
このため、図１に示すように、アタッチメント４の連結片５と床板１の突片６間にターンバックル１０が架設された状態で、ロックナット１５を弛め、ハンドル１８の揺動操作により操作筒１１を回転させると、床板１が押し込まれ、あるいは引き寄せられるため、床板１を位置調整することができる。
【００２４】
このように、ターンバックル１０は床板１の押し込みと引き寄せの二つの機能を有するため、従来のように、油圧ジャッキとチェーンブロックとを設置する場合に比較して設置に手間がかからず、しかも、床板１を微妙に位置調整することができるため、建築物構造部材としての床板１をスムーズに能率よく位置決めすることができる。
【００２５】
また、ハンドル１８の揺動操作を停止すると、床板１はターンバックル１０によって位置決め状態に仮止めされるため、床板１の固定作業を能率よく行なうことができる。
【００２６】
図１に示す実施の形態では、ターンバックル１０として操作筒１１の両端部に形成されたねじ孔１２ａ、１２ｂにねじ軸１３ａ、１３ｂをねじ係合したものを示したが、ターンバックル１０はこれに限定されるものではない。
【００２７】
例えば、図５に示すように、ハンドル１８の揺動によりラチェット機構２０を介して一方向に回転される操作筒４１の一端部にねじ孔４２を形成し、そのねじ孔４２に連結片４３を有するねじ軸４４をねじ係合し、操作筒４１の他端部に連結片４５を有する回転軸４６を回転自在に設け、前記操作筒４１の回転によってねじ軸４４を軸方向に移動させるようにしたターンバックル１０であってもよい。
【００２８】
図１に示す実施形態では、建築物構造部材として床板１を示したが、建築物構造部材は床板に限定されるものではない。例えば、図６に示すように、２本の支柱３１、３１と、その支柱３１、３１間に渡される梁３２の一方を建築物構造材とし、他方を固定構造物としてもよい。
【００２９】
図６では、鉛直状態に保持された２本の固定支柱３０、３０のそれぞれ上部に２本の支柱３１、３１を継ぎ足し、その支柱３１、３１の下端部を柱調整治具３３によって固定支柱３０、３０の下端部に仮止めしている。また、２本の支柱３１、３１の上部に設けられたブラケット３４間に梁３２を渡し、その梁３２の両端部とブラケット３４を２枚の連結プレート３５で表裏から挾み、その２枚の連結プレート３５およびブラケット３４を貫通する複数のボルト３６とこれにねじ係合される図示省略のナットによって梁３２の両端部をブラケット３４に仮止めしている。なお、連結プレート３５を１枚とし、その連結プレート３５をブラケット３４に仮止めしてもよい。
【００３０】
さらに、梁３２の両端部とこれに対応する支柱３１、３１間にターンバックル１０をかけ渡している。
【００３１】
上記のような状態において、ターンバックル１０を操作することによって、２本の支柱３１のそれぞれに設けられたブラケット３４間のスパン調整を行なうことができると共に、支柱３１、３１の傾きも同時に調整することができる。
【００３２】
スパン調整および支柱３１、３１の傾き調整後は、ボルト３６およびナットの締付けによって梁３２を固定すると共に、柱調整治具３３によって各支柱３１、３１の下端部を固定する。
【００３３】
柱調整治具３３として、ここでは、固定支柱３０、３０の上部の各端面および支柱３１、３１の下部の各端面に設けられた連結片３７、３８を２枚の帯状の板体３３ａで両側から挾持し、その２枚の板体３３ａおよび連結片３７、３８の両部品を貫通するボルト３３ｂおよびナット３３ｃの締付けによって固定支柱３０、３０と上部の支柱３１、３１を仮止めし、あるいは固定するようにしたものを示したが、柱調整治具３３はこれに限定されるものではない。例えば、特開２００１−３５５３４０号公報に記載された柱調整治具（鉄骨柱の傾き調整装置）を採用するようにしてもよい。
【００３４】
なお、図６では、２本の支柱３１、３１の下端部を仮止めする状態でブラケット３４間のスパン調整と支柱３１、３１の傾き調整とを行なうようにしたものを示したが、２本の支柱３１、３１の一方を固定し、その固定された支柱３１のブラケット３４に梁３２の一端部を仮止めし、梁３２の他端部を下部が仮止めされた他方の支柱３１のブラケット３４に仮止めしたのち、ターンバックル１０を操作して、仮止めされた他方の支柱３１のブラケット３４の梁３２に対する位置の調整と傾き調整とを行なうようにしてもよい。
【００３５】
【発明の効果】
以上のように、この発明においては、ターンバックルによって建築物構造部材を押し込みあるいは引き寄せて位置調整するようにしたので、建築物構造部材と固定構造物間にターンバックルのみを配置すればよい。このため、設置に手間がかからず、しかも、ターンバックルによって建築物構造部材を微妙に位置調整することができるので、建築物構造部材をスムーズに能率よく位置調整することができる。
【００３６】
また、ターンバックルによって建築物構造部材を位置決め状態に仮止めすることができるため、建築物構造部材の固定作業を能率よく確実に行なうことができる。
【００３７】
さらに、２本の支柱とその支柱間に渡される梁の一方を固定構造物とし、他方を建築物構造部材とすることによって、支柱と梁の相対的な位置の調整を行なうことができると共に、支柱の傾きも同時に調整することができる。
【図面の簡単な説明】
【図１】この発明に係る建築物構造部材の位置調整方法を実施する調整装置の縦断正面図
【図２】図１の平面図
【図３】図１のＩＩＩ−ＩＩＩ線に沿った断面図
【図４】図３のＩＶ−ＩＶ線に沿った断面図
【図５】ターンバックルの他の例を示す縦断正面図
【図６】この発明に係る建築物構造部材の位置調整方法を実施する調整装置の他の例を示す正面図
【符号の説明】
１  床板（建築物構造部材）
３  鉄筋（固定構造物）
１０  ターンバックル
１１  操作筒
１２ａ  ねじ孔
１３ａ  ねじ軸
１４  連結片
１６  ハンドル軸
１８  ハンドル
２０  ラチェット機構
３１  支柱
３２  梁
【図１】
2004263539.tif 000003
【図２】
2004263539.tif 000004
【図３】
2004263539.tif 000005
【図４】
2004263539.tif 000006
【図５】
2004263539.tif 000007
【図６】
2004263539.tif 000008